(57)【要約】【課題】VoIP (Voice over IP)通信装置に構内交換機を接続した通信システムにおいて、障害検出時に構内交換機の回線を閉塞するVoIP通信装置を提供。【解決手段】VoIP端末装置28に供給されるDC電源200が断状態となる等、VoIP端末装置28の障害やIP網32側の障害が検出されると、アナログ回線26は、構内交換機(PBX) 20から供給されているリバース用電源によってリバース状態に制御されて、PBX 20へアナログ回線26に閉塞が通知されて、PBX 20からの発信の際に公衆網24に迂回することができる。【選択図】図１
2006216998.tif 000002
【特許請求の範囲】
【請求項１】
複数の電話端末を接続する構内交換機を第１のアナログ回線を介して収容し、、前記構内交換機をIP網に接続して音声情報を通信するVoIP通信装置において、該装置は、
前記第１のアナログ回線に接続され、該第１のアナログ回線の極性をリバース用電源によって切り替える極性切替手段と、
該極性切替手段を第２のアナログ回線を介して収容する加入者回路手段と、
該加入者回路に接続され、前記構内交換機と前記IP網との間の音声情報を処理するVoIP処理手段と、
該装置の駆動用電源を入力する第１の電源手段と、
前記極性切替手段に前記リバース用電源の供給を入力する第２の電源手段とを含み、
前記極性反転手段は、前記駆動用電源の異常を検出すると、前記第２のアナログ回線を切り離し、前記第１のアナログ回線に前記リバース用電源を接続して、前記第１のアナログ回線の極性をリバース状態にして該第１のアナログ回線を閉塞することを特徴とするVoIP通信装置。
【請求項２】
請求項１に記載のVoIP通信装置において、該装置は、
前記IP網および前記VoIP処理手段に接続され、前記IP網の障害を検出する障害検出手段を含み、
前記加入者回路手段は、前記障害検出手段にて障害を検出すると、前記第２のアナログ回線の極性をリバース状態に設定することを特徴とするVoIP通信装置。
【発明の詳細な説明】
【技術分野】
【０００１】
本発明は、構内交換機を収容してIP網に接続するVoIP通信装置に係り、とくに、障害検出時に構内交換機の回線を閉塞するVoIP通信装置に関するものである。
【背景技術】
【０００２】
近年、インターネット・プロトコル(IP)を使用して、音声や映像等の情報をIP網を利用して行うように、VoIP (Voice over IP)電話端末やVoIP端末装置が利用されている。VoIP端末装置は、たとえばアナログ電話端末やPBX等のアナログ通信機器を収容してIP網に接続する。このためVoIP端末装置には、アナログ通信機器を収容するための加入者回路(SLIC)が備えられる。
【０００３】
構内交換機(PBX)は、一方のアナログ電話端末回路(COT)を公衆電話通信網に接続するとともに、他方のアナログ電話端末回路(COT)をVoIP端末装置内の加入者回路(SLIC)に接続して、VoIP端末装置を介在してIP網に接続することができる。PBXは、外線として公衆電話通信網（公衆網）とIP網とを接続して、いずれかの網（外線）を利用して発呼することができる。発呼時において捕捉する回線網を、たとえばIP網を第一優先とし、公衆網を第二優先とすることにより、VoIP端末装置が接続されたIP網を他の網よりも優先的に使用するようにPBXを設定することができる。
【０００４】
このように接続構成されたPBXシステムでは、PBXに収容した電話機がVoIP端末装置を経由してIP網に接続していてCOTに接続されたIP網側の回線が塞がっている際に、PBXに収容した他の電話機の呼を検出すると、空いているCOTに接続された公衆電話通信網を使用して、掛け先端末である発呼先電話機を呼び出す迂回処理を行う。
【０００５】
【特許文献１】特開２００３−３０９６５０号公報
【発明の開示】
【発明が解決しようとする課題】
【０００６】
しかしながら、IP網側にて発生している障害やVoIP端末装置の障害によって通話が出来ない状態にある場合に、VoIP端末装置内のSLICは、この状態をVoIP端末装置からPBXに通知することができなかった。このため、VoIP端末装置の障害およびIP網側にてなんらかの障害が発生しているか否かについては、PBX側からVoIP端末装置へ一度発呼動作を行わなければPBX側にて認識することができず、このような発呼動作を行わずに事前に公衆電話通信網へ迂回して発呼することもできないという問題があった。
【０００７】
本発明はこのような従来技術の欠点を解消し、VoIP (Voice over IP)通信装置に構内交換機を接続した通信システムにおいて、障害検出時に構内交換機の回線を閉塞するVoIP通信装置を提供することを目的とする。
【課題を解決するための手段】
【０００８】
本発明は上述の課題を解決するために、複数の電話端末を接続する構内交換機を第１のアナログ回線を介して収容し、構内交換機をIP網に接続して音声情報を通信するVoIP通信装置において、この装置は、第１のアナログ回線に接続され、第１のアナログ回線の極性をリバース用電源によって切り替える極性切替手段と、極性切替手段を第２のアナログ回線を介して収容する加入者回路手段と、加入者回路に接続され、構内交換機とIP網との間の音声情報を処理するVoIP処理手段と、この装置の駆動用電源を入力する第１の電源手段と、極性切替手段にリバース用電源の供給を入力する第２の電源手段とを含み、極性反転手段は、駆動用電源の異常を検出すると、第２のアナログ回線を切り離し、第１のアナログ回線にリバース用電源を接続して、第１のアナログ回線の極性をリバース状態にして第１のアナログ回線を閉塞することを特徴とする。この場合、この装置は、IP網およびVoIP処理手段に接続され、IP網の障害を検出する障害検出手段を含み、加入者回路手段は、障害検出手段にて障害を検出すると、第２のアナログ回線の極性をリバース状態に設定するとよい。
【発明の効果】
【０００９】
本発明によれば、VoIP通信装置への電源供給断等の障害発生時に、構内交換機を収容した第１のアナログ回線をリバース状態に制御してその閉塞を通知することができる。またIP網側の障害検出時にも第１のアナログ回線を閉塞させることができる。
【発明を実施するための最良の形態】
【００１０】
次に添付図面を参照して本発明による閉塞通知方法および通信システムの実施例を詳細に説明する。図１を参照すると、本発明が適用された通信システム10は、複数の電話機12,14をそれぞれ内線16,18を介して収容する構内交換機(PBX) 20が、一方は公衆回線22を介して公衆網24に接続され、他方はアナログ回線26を介してVoIP端末装置28に接続されている。VoIP端末装置28はさらにIP回線30を介してIP網32に接続され、IP網32には、不図示の他のVoIP端末装置や公衆網等の他の通信網に接続される。IP網32にはさらにコールエージェント34が接続され、コールエージェント34は、電話番号やIPアドレスを管理し、また通信プロトコルの制御を行なうサーバである。なお、以下の説明において本発明に直接関係のない部分は、図示およびその説明を省略し、また、信号の参照符号はその現われる接続線の参照番号で表わす。
【００１１】
VoIP端末装置28は、アナログ電話端末側の回線とIP回線30とをインタフェースするVoIP側のVoIP通信装置である。本実施例におけるVoIP端末装置28は、直流(DC)電源を入力200に受けて、この電源供給によって各部が作動する。
【００１２】
図２に示すように、VoIP端末装置28は、二線式のアナログ回線26に接続された極性切替部40と、この極性切替部40を介してアナログ回線26を収容する加入者回路(SLIC) 42と、SLIC 42に接続され、SLIC 42から送られるアナログ信号をパケット化してIP回線30に送出し、またIP回線30経由で送られるパケットをアナログ信号に変換してSLIC 40に送出するVoIP処理部44とを備えている。
【００１３】
VoIP端末装置26はさらに、コールエージェント34（図１）との通信不良やIP網32とのレイヤ１障害などネットワーク側の障害およびVoIP端末装置28内部にて発生する障害を監視する障害検出部46を有している。障害検出部46は、これら障害を検出すると、回線の極性反転を指示する極性反転指示信号を出力48を介して接続されたSLIC 42に出力する。SLIC 40は、極性反転指示信号48が与えられると、極性切替部40に接続されているアナログ回線(L1,L2) 50をリバース状態の回線極性に設定する。
【００１４】
また、図１に示すように、本実施例におけるVoIP端末装置28は、接続線210,212を介してPBX 20の-48[V]電源および接地(GND)にそれぞれ接続されている。
【００１５】
極性切替部40は、PBX 20に接続されるアナログ回線26と、SLIC 42に接続されるアナログ回線50とを接続するとともに、入力200に印加されるDC電源供給状態に応じて、そのアナログ回線26の電位極性を反転状態にする切替回路である。PBX 20の-48[V]電源および接地(GND)は、極性切替部40にてアナログ回線26の電位極性を反転状態にするためのリバース用電源である。極性切替部40の内部構成例を図３に示す。
【００１６】
図示するように、極性切替部40は、アナログ回線26とアナログ回線50とを接続または開放状態にするリレー回路220を有している。リレー回路220は、アナログ回線26,50のL1線の切替えを行うスイッチ222と、アナログ回線26,50のL2線の切替えを行うスイッチ224と、これらスイッチ222,224を連動して励磁状態に応じて切り替える電磁コイル226とを有している。
【００１７】
リレー回路220は、電磁コイル226が無励磁状態であるときに、各スイッチ222,224の接点ａ側に切り替えてその接続を保持し、アナログ回線26,50の各L1,L2をそれぞれ接続する。逆に電磁コイル226が励磁されるとリレー回路220は、各スイッチ222,224を接点ｂ側に切り替えて、アナログ回線26,50の各L1,L2の接続を切り離す。スイッチ222,224の接点ｂ側には、それぞれ電流制限抵抗228,230 を直列に接続して、PBX 20の-48[V]電源および接地（GND）がそれぞれ接続線210,212を介して接続される。
【００１８】
リレー回路220には、駆動トランジスタ232およびフォトカプラ234が接続されて、フォトカプラ234は、電流制限抵抗240を介して入力200にDC電源が供給されるとオン状態となることにより、駆動トランジスタ232のベース電位を制御して駆動トランジスタ232をオフさせる。逆にDC電源の供給が途絶えてフォトカプラ234がオフ状態となると、駆動トランジスタ232はオン状態になり、-48[V]電源210および筐体接地GND(SG) 212間の電位がリレー回路220に与えられて電磁コイル226を励磁状態にする。
【００１９】
このように極性切替部40は、本VoIP端末装置28へのDC電源供給に応じて、その電源供給が正常に行われているとアナログ回線26,50を接続する。逆に本VoIP端末装置28へのDC電源供給がたとえば断状態となる障害が発生した場合には、リレー回路220の接続切替動作により、PBX 20側のアナログ回線26の電位をPBX 20からの電圧供給を用いてリバース状態に設定する。PBX 20では、このリバース状態に切り替えられたアナログ回線26の電位を検出することによりその回線の閉塞を認識し、アナログ回線26への発呼動作を行わずに、公衆網24側への発呼動作を実行することができる。
【００２０】
このPBX 20について、図４を参照して説明すると、VoIP端末装置28のアナログ回線26が、PBX 20内のアナログ外線インターフェース回路（COT:Central Office Trunk）60に接続されている。このCOT 60は、網側の局線（アナログ回線26）を収容する局線トランクであり、COT 60は、アナログ回線26の電位極性を検出する極性検出回路62を備えている。PBX 20はさらに、公衆回線22を収容するアナログ外線インターフェース回路(COT) 64を備えている。これらCOT 60,64は、交換スイッチ66に接続されている。交換スイッチ66の内線側には、電話機12,14がそれぞれ内線16,18を介して接続される複数の内線加入者回路68,70が接続されている。
【００２１】
COT 60内の極性検出回路62は、接続線72を介して発着衝突防止制御部74に接続され、極性検出回路62は、アナログ回線26の極性反転（リバース状態）を検出すると、その検出信号72を発着衝突防止制御部74に通知する。発着衝突防止制御部74は、アナログ回線26および公衆回線22の回線極性がリバースの間は、発呼時においてそのリバース状態にて閉塞した回線からの発信を禁止する機能を有する。この機能により通常の発着信の衝突を防止する。
【００２２】
極性検出回路62と発着衝突防止制御部74は、COT 60の発着衝突防止機能としてPRX 20に備えられているが、本実施例では、VoIP端末装置28のリバース制御により、障害検出時におけるアナログ回線26への発信制御がPBX 20からの発呼時に発着衝突防止機能を利用して禁止される。
【００２３】
また、VoIP端末装置28へのDC電源供給が正常に行われている状態にて、SLIC 42で障害を検出した際には、SLIC 42のリバース機能によってそのリバース状態が極性切替部40を通してそのままPBX 20のCOT 60に通知される。この結果、IP網側の障害発生時においても、アナログ回線26への発信制御が禁止されて、公衆網24等他の網を利用する発信動作をPBX 20側から行うことができる。
【００２４】
以上のような構成により、VoIP端末装置28のDC電源入力がオンの場合、フォトカプラ234がオンとなり、駆動トランジスタ232がオフになる。この結果、リレー回路220は無励磁状態となって、SLIC 42側の回線50とCOT 64側の回線26とが直結される。また、VoIP端末装置28のDC電源入力がオフになると、フォトカプラ234がオフとなり、駆動トランジスタ232がオンになるため、リレー回路220は励磁状態となり、回線26の極性をL1＝-48V,L2＝GNDのリバース状態にする。このように本実施例では、VoIP端末装置28への電源供給が通電されていないという障害が発生した場合、PBX 20に対し、このアナログ回線26を閉塞させ、PBX 26からの外線発信の呼を公衆網 24へ迂回させることが可能となる。
【００２５】
以上の構成において、通信システム10の動作をIP網30側およびVoIP端末装置28側にて発生する障害を検出する場合について説明する。
【００２６】
VoIP端末装置28において、障害検出部46がIP網30側またはVoIP端末装置28内部の障害を検出すると、障害検出部48はSLIC 42に極性反転指示信号48を出力してアナログ回線50の極性反転を指示し、SLIC 42はその指示信号48を受けて回線極性をリバースにする。
【００２７】
また、DC電源入力200が断状態となると、VoIP端末装置28内の極性切替部40は、PBX 20から供給されているリバース用電源を利用して、アナログ回線26の極性をL1＝-48V, L2＝GNDのリバース状態に設定する。
【００２８】
PBX 20では、COT 60の極性検出回路62が、アナログ回線26の回線状態がリバースになったことを検出信号72を出力して発着衝突防止制御部74に通知する。その後、PBX 20にて外線発信の呼が発生した場合、発着衝突防止制御部74は、検出信号72が解除されるまでの期間はアナログ回線26の使用を禁止し、別の空き回線を捕捉して発信する。本実施例では、別の回線として公衆網24に接続された公衆回線24に迂回発信することになる。
【００２９】
次いで、VoIP端末装置28にて、障害検出部46が障害復旧を検出すると、SLIC 42に対する極性反転の指示信号48を解除し、SLIC 42はアナログ回線50の回線極性を通常状態(ノーマル)に戻す。この場合、PBX 20では、COT 60の極性検出回路62が、アナログ回線26の回線状態がノーマルに復帰したことを検出し、これを発着衝突防止制御部74に通知する。この通知を受けて発着衝突防止制御部74は、その後の外線発信の呼について、アナログ回線26の使用を許可する。
【００３０】
また、VoIP端末装置28へのDC電源が断状態から供給状態に復旧した場合には、極性切替部40にてアナログ回線26とアナログ回線50とが接続されて、SLIC 42にて設定されている通常状態(ノーマル)がPBX 20にて検出される。この結果、PBX 20の発着衝突防止制御部74は、以降の外線発信の呼について、アナログ回線26の使用を許可する。
【００３１】
以上のように、PBX 20に具備された発着信衝突防止機能を利用し、VoIP端末装置28において、IPネットワーク30側およびVoIP端末装置28の障害を検出したとき、アナログ加入者線インタフェース(SLIC) 42に収容されるアナログ回線26の極性をリバース状態に制御することにより、PBX 20に対しこのアナログ回線26を閉塞させ、PBX 20から外線発信する際の呼を公衆網24側へ迂回させることができる。
【図面の簡単な説明】
【００３２】
【図１】本発明が適用された通信システムの一構成例を示すブロック図である。
【図２】図１に示す実施例におけるVoIP端末装置の一構成例を示すブロック図である。
【図３】図１に示す実施例における極性切替部の一構成例を示す回路図である。
【図４】図１に示す実施例におけるPBXの一構成例を示すブロック図である。
【符号の説明】
【００３３】
10  通信システム
20  構内交換機(PBX)
24  公衆網
26  アナログ回線
28  VoIP端末装置
32  IP網
【図１】
2006216998.tif 000003
【図２】
2006216998.tif 000004
【図３】
2006216998.tif 000005
【図４】
2006216998.tif 000006